(57)【要約】【課題】ユーザ側にのみ負荷をかけず、保存期間を超えた測定データに関する長期的な変化を知ることができ、コストが安価で且つサーバ側にのみ依存することがないデータ管理システム等を提供する。【解決手段】情報処理装置３０はデータ送受信装置１０側から送信された測定データを受信する情報処理装置側受信部３２と測定データを所定の条件に基づき情報処理装置側記録ＤＢ３６に保存する情報処理装置側保存部３３と測定データをデータ管理サーバ４０へ送信する情報処理装置側送信部３４とを備え、データ管理サーバ４０は情報処理装置３０側から送信された測定データを受信するデータ管理サーバ側受信部４２と測定データを所定の条件に基づきデータ管理サーバ側記録ＤＢ４５に保存するデータ管理サーバ側保存部４３とを備えている。所定の条件は所定期間内の測定データは全て保存し所定期間を超える測定データは所定の値に置き換えて保存する条件である。【選択図】  図１
2008250703.tif 000002
【特許請求の範囲】
【請求項１】
データ送受信装置、該データ送受信装置と通信可能な情報処理装置及び該情報処理装置とネットワークを介して接続されたデータ管理サーバとを備えたデータ管理システムであって、
前記データ送受信装置は、
データ測定器から送られた測定データを受信するデータ送受信装置側受信手段と、
前記データ送受信装置側受信手段により受信した測定データを前記情報処理装置へ送信するデータ送受信装置側送信手段とを備え、
前記情報処理装置は、
前記データ送受信装置側送信手段により送信された測定データを受信する情報処理装置側受信手段と、
前記情報処理装置測受信手段により受信した測定データを所定の条件に基づき情報処理装置側記録部に保存する情報処理装置測保存手段と、
前記情報処理装置測受信手段により受信した測定データを前記データ管理サーバへ送信する情報処理装置側送信手段とを備え、
前記データ管理サーバは、
前記情報処理装置側送信手段により送信された測定データを受信するデータ管理サーバ側受信手段と、
前記データ管理サーバ側受信手段により受信した測定データを所定の条件に基づきデータ管理サーバ側記録部に保存するデータ管理サーバ側保存手段とを備え、
前記所定の条件は、所定期間内の測定データは全て保存し、該所定期間を超える測定データは所定の値に置き換えて保存する条件であることを特徴とするデータ管理システム。
【請求項２】
データ送受信装置、該データ送受信装置とネットワークを介して接続されたデータ管理サーバとを備えたデータ管理システムであって、
前記データ送受信装置は、
データ測定器から送られた測定データを受信するデータ送受信装置側受信手段と、
前記データ送受信装置側受信手段により受信した測定データを所定の条件に基づきデータ送受信装置側記録部に保存するデータ送受信装置測保存手段と、
前記データ送受信装置測受信手段により受信した測定データをネットワークを介して前記データ管理サーバへ送信するデータ送受信装置側網送信手段とを備え、
前記データ管理サーバは、
前記データ送受信装置側網送信手段により送信された測定データを受信するデータ管理サーバ側受信手段と、
前記データ管理サーバ側受信手段により受信した測定データを所定の条件に基づきデータ管理サーバ側記録部に保存するデータ管理サーバ側保存手段とを備え、
前記所定の条件は、所定期間内の測定データは全て保存し、該所定期間を超える測定データは所定の値に置き換えて保存する条件であることを特徴とするデータ管理システム。
【請求項３】
請求項１又は２記載のデータ管理システムにおいて、前記所定の値は前記所定期間を超える測定データを代表する統計上の値であることを特徴とするデータ管理システム。
【請求項４】
請求項１乃至３のいずれかに記載のデータ管理システムにおいて、前記データ測定器は測定対象の生体に関連するデータの測定器であることを特徴とするデータ管理システム。
【請求項５】
ネットワークを介してデータ管理サーバと接続され、データ送受信装置と通信可能な情報処理装置であって、
前記データ送受信装置側から送信された測定データを受信する情報処理装置側受信手段と、
前記情報処理装置測受信手段により受信した測定データを所定の条件に基づき情報処理装置側記録部に保存する情報処理装置測保存手段と、
前記情報処理装置測受信手段により受信した測定データを前記データ管理サーバへ送信する情報処理装置側送信手段とを備え、
前記所定の条件は、所定期間内の測定データは全て保存し、該所定期間を超える測定データは所定の値に置き換えて保存する条件であることを特徴とする情報処理装置。
【請求項６】
データ送受信装置と通信可能な情報処理装置にネットワークを介して接続されたデータ管理サーバであって、
前記データ送受信装置から前記データ管理サーバへ送信された測定データを受信するデータ管理サーバ側受信手段と、
前記データ管理サーバ側受信手段により受信した測定データを所定の条件に基づきデータ管理サーバ側記録部に保存するデータ管理サーバ側保存手段とを備え、
前記所定の条件は、所定期間内の測定データは全て保存し、該所定期間を超える測定データは所定の値に置き換えて保存する条件であることを特徴とするデータ管理サーバ。
【請求項７】
情報処理装置と通信可能で、ネットワークを介してデータ管理サーバと接続されたデータ送受信装置であって、
データ測定器から送られた測定データを受信するデータ送受信装置側受信手段と、
前記データ送受信装置側受信手段により受信した測定データを所定の条件に基づきデータ送受信装置側記録部に保存するデータ送受信装置測保存手段と、
前記データ送受信装置測受信手段により受信した測定データをネットワークを介して前記データ管理サーバへ送信するデータ送受信装置側網送信手段とを備え、
前記所定の条件は、所定期間内の測定データは全て保存し、該所定期間を超える測定データは所定の値に置き換えて保存する条件であることを特徴とするデータ送受信装置。
【発明の詳細な説明】
【技術分野】
【０００１】
本発明は、データ送受信装置、当該データ送受信装置と通信可能な情報処理装置および当該情報処理装置とネットワークを介して接続されたデータ管理サーバとを備えたデータ管理システム等に関する。
【背景技術】
【０００２】
近年、体重計、体脂肪計等により測定されたユーザの測定データをインターネットを介して遠隔のサーバに収集し、健康管理に役立てる健康管理システムの開発が進められている。このような健康管理システムでは、ユーザはサーバに記録された過去の測定データを閲覧可能になっている（非特許文献１参照）。しかし、過去の全測定データをサーバ側に永久に保存することは、容量、コスト等の点から極めてサーバ側に負荷がかかるため、通常、測定データの保存期間は限られている（非特許文献２参照）。
【０００３】
一般に、上述した過去の測定データの保存方法には、ユーザ側のパーソナルコンピュータ（ＰＣ）にのみ保存する場合と、サーバ側にのみ保存する場合と、保存用の２台目のサーバを遠隔地に設置して当該サーバにも保存する場合とがある。ユーザ側のＰＣにのみ保存する場合、当該ユーザの測定データを全保存（永久保存）することは可能であるが、ユーザ側に極めて負荷がかかるため、ユーザにとっての利便性はかなり低いものとなる。一方、サーバ側にのみ保存する場合、ユーザにとっての利便性はかなり高いものとなるが、サーバ側には極めて負荷がかかることになる。加えて、廃止コストはかなり要することとなる。通常は、全てのユーザの測定データを全保存することは非現実的であるため保存期間は限定されることになる。保存用の２台目のサーバを遠隔地に設置して当該サーバにも保存する場合は上述したサーバ側にのみ保存する場合とほぼ同様であるが、そのための初期投資、維持費等は最も要するものとなる。近年では、単にデータの全保存の目的だけではなく、災害時のバックアップ用にシステムを二重化したりする場合が珍しくないが（非特許文献３参照）、サーバ側にのみ依存することは、責任問題等も含め、リスク管理上の種々の問題点が指摘されている（非特許文献４参照）。
【０００４】
【非特許文献１】“健康管理ソフト”、［online］、港洋電器株式会社、［平成１９年２月８日検索］、インターネット、<URL:http://koyolease.co.jp/SCS/SCS-AD10.htm>
【非特許文献２】“からだのみはり番ネット”、［online］、株式会社東芝、［平成１９年２月８日検索］、インターネット、<URL:http://t-hcs.jp/aag/t-hcs/sitemap.htm>
【非特許文献３】“災害に備え“もう１つの本社””、［online］、アイティメディア株式会社、［平成１９年２月８日検索］、インターネット、<URL: http://www.itmedia.co.jp/news/articles/0604/17/news049.html>
【非特許文献４】「情報リスクに関するリスクマネジメント研究報告書」、財団法人日本情報処理開発協会、平成１３年３月。
【発明の開示】
【発明が解決しようとする課題】
【０００５】
上述のように、過去の測定データをユーザ側のＰＣにのみ保存する場合、ユーザ側に極めて負荷がかかるため、ユーザにとっての利便性がかなり低くなるという問題があった。過去の測定データをサーバ側にのみ保存する場合、通常、保存期間を超えた測定データは消去されるため、ユーザは当該測定データを参照することができなくなり、当該測定データに関する長期的な変化を全く知ることができなくなるという問題があった。保存用の２台目のサーバを遠隔地に設置して当該サーバにも保存する場合、初期投資、維持費等が極めて要することになる上、サーバ側にのみ依存することは、種々のリスク管理上の問題点があった。
【０００６】
そこで、本発明の目的は、上記問題を解決するためになされたものであり、ユーザ側にのみ負荷をかけることなく、保存期間を超えた測定データに関する長期的な変化を全く知ることができなくなることもなく、コストが極めてかかることもなく且つサーバ側にのみ依存することもないデータ管理システム等を提供することにある。
【課題を解決するための手段】
【０００７】
この発明のデータ管理システムは、データ送受信装置、該データ送受信装置と通信可能な情報処理装置及び該情報処理装置とネットワークを介して接続されたデータ管理サーバとを備えたデータ管理システムであって、前記データ送受信装置は、データ測定器から送られた測定データを受信するデータ送受信装置側受信手段と、前記データ送受信装置側受信手段により受信した測定データを前記情報処理装置へ送信するデータ送受信装置側送信手段とを備え、前記情報処理装置は、前記データ送受信装置側送信手段により送信された測定データを受信する情報処理装置側受信手段と、前記情報処理装置測受信手段により受信した測定データを所定の条件に基づき情報処理装置側記録部に保存する情報処理装置測保存手段と、前記情報処理装置測受信手段により受信した測定データを前記データ管理サーバへ送信する情報処理装置側送信手段とを備え、前記データ管理サーバは、前記情報処理装置側送信手段により送信された測定データを受信するデータ管理サーバ側受信手段と、  前記データ管理サーバ側受信手段により受信した測定データを所定の条件に基づきデータ管理サーバ側記録部に保存するデータ管理サーバ側保存手段とを備え、前記所定の条件は、所定期間内の測定データは全て保存し、該所定期間を超える測定データは所定の値に置き換えて保存する条件であることを特徴とする。
【０００８】
この発明のデータ管理システムは、データ送受信装置、該データ送受信装置とネットワークを介して接続されたデータ管理サーバとを備えたデータ管理システムであって、前記データ送受信装置は、データ測定器から送られた測定データを受信するデータ送受信装置側受信手段と、前記データ送受信装置側受信手段により受信した測定データを所定の条件に基づきデータ送受信装置側記録部に保存するデータ送受信装置測保存手段と、前記データ送受信装置測受信手段により受信した測定データをネットワークを介して前記データ管理サーバへ送信するデータ送受信装置側網送信手段とを備え、前記データ管理サーバは、前記データ送受信装置側網送信手段により送信された測定データを受信するデータ管理サーバ側受信手段と、前記データ管理サーバ側受信手段により受信した測定データを所定の条件に基づきデータ管理サーバ側記録部に保存するデータ管理サーバ側保存手段とを備え、前記所定の条件は、所定期間内の測定データは全て保存し、該所定期間を超える測定データは所定の値に置き換えて保存する条件であることを特徴とする。
【０００９】
ここで、この発明のデータ管理システムにおいて、前記所定の値は前記所定期間を超える測定データを代表する統計上の値とすることができる。
【００１０】
ここで、この発明のデータ管理システムにおいて、前記データ測定器は測定対象の生体に関連するデータの測定器とすることができる。
【００１１】
この発明の情報処理装置は、ネットワークを介してデータ管理サーバと接続され、データ送受信装置と通信可能な情報処理装置であって、前記データ送受信装置側から送信された測定データを受信する情報処理装置側受信手段と、前記情報処理装置測受信手段により受信した測定データを所定の条件に基づき情報処理装置側記録部に保存する情報処理装置測保存手段と、前記情報処理装置測受信手段により受信した測定データを前記データ管理サーバへ送信する情報処理装置側送信手段とを備え、前記所定の条件は、所定期間内の測定データは全て保存し、該所定期間を超える測定データは所定の値に置き換えて保存する条件であることを特徴とする。
【００１２】
この発明のデータ管理サーバは、データ送受信装置と通信可能な情報処理装置にネットワークを介して接続されたデータ管理サーバであって、前記データ送受信装置から前記データ管理サーバへ送信された測定データを受信するデータ管理サーバ側受信手段と、前記データ管理サーバ側受信手段により受信した測定データを所定の条件に基づきデータ管理サーバ側記録部に保存するデータ管理サーバ側保存手段とを備え、前記所定の条件は、所定期間内の測定データは全て保存し、該所定期間を超える測定データは所定の値に置き換えて保存する条件であることを特徴とする。
【００１３】
この発明のデータ送受信装置は、情報処理装置と通信可能で、ネットワークを介してデータ管理サーバと接続されたデータ送受信装置であって、データ測定器から送られた測定データを受信するデータ送受信装置側受信手段と、前記データ送受信装置側受信手段により受信した測定データを所定の条件に基づきデータ送受信装置側記録部に保存するデータ送受信装置測保存手段と、前記データ送受信装置測受信手段により受信した測定データをネットワークを介して前記データ管理サーバへ送信するデータ送受信装置側網送信手段とを備え、前記所定の条件は、所定期間内の測定データは全て保存し、該所定期間を超える測定データは所定の値に置き換えて保存する条件であることを特徴とする。
【発明の効果】
【００１４】
本発明のデータ管理システム等によれば、データ送受信装置は、データ測定器から送られた測定データを受信するデータ送受信装置側受信部と、データ送受信装置側受信部により受信した測定データを情報処理装置へ送信するデータ送受信装置側送信部とを備えている。情報処理装置は、データ送受信装置側送信部により送信された測定データを受信する情報処理装置側受信部と、情報処理装置測受信部により受信した測定データを所定の条件に基づき情報処理装置側記録ＤＢに保存する情報処理装置測保存部と、情報処理装置測受信部により受信した測定データをネットワークを介してデータ管理サーバへ送信する情報処理装置側送信部とを備えている。データ管理サーバは、情報処理装置側送信部により送信された測定データを受信するデータ管理サーバ側受信部と、データ管理サーバ側受信部により受信した測定データを所定の条件に基づきデータ管理サーバ側記録ＤＢに保存するデータ管理サーバ側保存部とを備えている。所定の条件は、所定期間内の測定データは全て保存し、当該所定期間を超える測定データは所定の値に置き換えて保存する条件である。情報処理装置およびデータ管理サーバの両方で測定データを保存するため、ユーザ側にのみ負荷をかけることがなくサーバ側にのみ依存するということがない。保存期間を超えた測定データは所定の期間における代表値に置き換えて保存されるため、保存するデータ量（保存領域）は格段に少ない容量で済み、代表値の変化により保存期間を超えた測定データに関する長期的な変化を知ることができる。別のサーバを用意することなく既存の装置だけで済むため、保存のためのコストが別途極めてかかるということなく、非常に安価に長期間の測定データの変化の傾向を保存することができるという効果がある。
【発明を実施するための最良の形態】
【００１５】
以下、各実施例について図面を参照して詳細に説明する。
【実施例１】
【００１６】
図１は、本発明の実施例１におけるデータ管理システム１を示す。図１において、符号１０は測定対象（不図示）の生体に関連するデータを測定するデータ測定器、２０はデータ測定器１０から送られた測定データを受信するデータ送受信装置、３０はデータ送受信装置２０と通信可能な情報処理装置、４０は情報処理装置３０とインターネット等のネットワーク５を介して接続されたデータ管理サーバである。
【００１７】
データ測定器１０としては、例えば体重計・体脂肪計等の体組成計、血圧計、歩数計、尿糖計または体温計等であることが好適である。データ測定器１０はデータ送受信装置２０へ測定データを送信することができる。測定データは、体重（ｋｇ）、体脂肪（％）、血圧（最高、最低をｍｍＨｇ）、歩数（歩／分）等のデータであり、所望のデータ表現、データサイズにより表されているものとする。送信方法には特定小電力無線を用いることが好適である。特定小電力無線とは、免許を必要としない無線であり、アンテナ電力が１０ｍＷ以下の近距離用の無線である。通信可能な距離は約５０ｍ程度であるが、見通しが立たないような状況でも通信可能である。他の送信方法として、赤外線送信を用いることもできる。赤外線送信のフォーマットとしては、一般的な家電製品協会フォーマット等またはオリジナルなフォーマット等を用いればよい。あるいは有線接続により送信を行うこともできる。
【００１８】
図１において、符号２１はデータ送受信装置２０が有する機能を示す機能ブロック図である。機能ブロック図２１内に示されるように、データ送受信装置２０は、データ測定器１０から上述のように送られた測定データを受信するデータ送受信装置側受信部（データ送受信装置側受信手段）２２と、データ送受信装置側受信部２２により受信した測定データを情報処理装置３０へ送信するデータ送受信装置側送信部（データ送受信装置側送信手段）２３とを備えている。
【００１９】
図１において、符号３１は情報処理装置３０が有する機能を示す機能ブロック図である。機能ブロック図３１内に示されるように、情報処理装置３０は、データ送受信装置側送信部２３により送信された測定データを受信する情報処理装置側受信部（情報処理装置側受信手段）３２と、情報処理装置測受信部３２により受信した測定データを所定の条件に基づき情報処理装置側記録データベース（ＤＢ。情報処理装置側記録部）３６に保存する情報処理装置測保存部（情報処理装置測保存手段）３３と、情報処理装置測受信部３２により受信した測定データをネットワーク５を介してデータ管理サーバ４０へ送信する情報処理装置側送信部（情報処理装置側送信手段）３４とを備えている。上述の情報処理装置側記録ＤＢ３６は情報処理装置３０のディスク等の記録装置３５に記録されている。情報処理装置３０はルータ（不図示）等を経由しネットワーク５を介してデータ管理サーバ４０側と接続されている。
【００２０】
図１において、符号４１はデータ管理サーバ４０が有する機能を示す機能ブロック図である。機能ブロック図４１内に示されるように、データ管理サーバ４０は、情報処理装置側送信部３４により送信された測定データを受信するデータ管理サーバ側受信部（データ管理サーバ側受信手段）４２と、データ管理サーバ側受信部４２により受信した測定データを所定の条件に基づきデータ管理サーバ側記録ＤＢ（データ管理サーバ側記録部）４５に保存するデータ管理サーバ側保存部（データ管理サーバ側保存手段）４３とを備えている。上述のデータ管理サーバ側記録ＤＢ４５はデータ管理サーバ４０のディスク等の記録装置４４に記録されている。データ管理サーバ４０はルータ（不図示）等を経由しネットワーク５を介して情報処理装置３０側と接続されている。
【００２１】
次に、上記所定の条件について説明する。所定の条件は、所定期間内の測定データは全て保存し、当該所定期間を超える測定データは所定の値に置き換えて保存する条件である。例えば、１年間（所定期間）内の測定データは全て保存し、１年間を超える測定データは３ヶ月間の測定データを代表する統計上の値である代表値（所定の値）に置き換えて保存する条件とすることができる。図２は、代表値（所定の値）への置き換えについて説明するための図である。図２の左側は、１月分全測定データＭ１から１２月分全測定データＭ１２までを保存した場合を示す。この場合、３６５日分の測定データが保存されていることになる。一方、図２の右側は、１月〜３月分全測定データ、すなわち３ヶ月分の全測定データを１つの代表値（所定の値）Ｒ１に置き換えて保存し、以下同様に、４月〜６月分全測定データ、すなわち３ヶ月分の全測定データを１つの代表値Ｒ２に置き換えて保存し、７月〜９月分全測定データ、すなわち３ヶ月分の全測定データを１つの代表値Ｒ３に置き換えて保存し、１０月〜１２月分全測定データ、すなわち、３ヶ月分の全測定データを１つの代表値Ｒ４に置き換えて保存した場合を示す。この場合、日数的には４日分の測定データのみが保存されていることになるため、１年間分の保存するデータ量（保存領域）は４／３６５＝約１／１００となる。代表値としては３ヶ月分の全測定データの平均値を用いることが好適である。さらに分散値を付加してもよい。生体に関連するデータの種類により代表値を変えることもできる。例えば、生体に関連するデータが血圧の場合、最高血圧の平均値と、最低血圧の平均値と、最高血圧と最低血圧との中心値の平均値との３つの平均値を代表値としてもよい。
【００２２】
図２では、説明をわかりやすくするため、１年間を超える測定データが現時点から１年分ある場合を想定した。実際は、情報処理装置測保存部３３またはデータ管理サーバ側保存部４３が、各々情報処理装置側記録ＤＢ３６またはデータ管理サーバ側記録ＤＢ４５に現時点から１年以上前の測定データが３ヶ月分あるか否かを判断し、３ヶ月分あった場合は当該３ヶ月分の測定データからそれらの平均値を求め、各々情報処理装置側記録ＤＢ３６上またはデータ管理サーバ側記録ＤＢ４５上に保存されていた当該３か月分の測定データを求めた平均値Ｒ１等で置き換える。
【００２３】
上述の説明では、３ヶ月分の測定データの平均値を代表値としたが、３ヶ月分に限定されるわけではなく、任意の期間の測定データの平均値を代表値としてもよい。例えば１ヶ月分の測定データの平均値を代表値とした場合、１年間分の保存するデータ量（保存領域）は１２／３６５＝約１／３０となる。
【００２４】
上述の説明では、所定期間を超える測定データを所定の値に置き換える方法は単一のものと想定したが、当該方法は複数あってもよい。例えば、現時点から１年１ヶ月未満（所定期間）の測定データは全て保存し、１年１ヶ月以上２年未満の測定データは１ヶ月分の測定データの平均値を代表値として保存し、２年以上前の測定データは３ヶ月分の測定データの平均値を代表値として保存するという複数の置き換え方法を用いることもできる。
【００２５】
以上より、本発明の実施例１によれば、データ送受信装置２０は、データ測定器１０から送られた測定データを受信するデータ送受信装置側受信部２２と、データ送受信装置側受信部２２により受信した測定データを情報処理装置３０へ送信するデータ送受信装置側送信部２３とを備えている。情報処理装置３０は、データ送受信装置側送信部２３により送信された測定データを受信する情報処理装置側受信部３２と、情報処理装置測受信部３２により受信した測定データを所定の条件に基づき情報処理装置側記録ＤＢ３６に保存する情報処理装置測保存部３３と、情報処理装置測受信部３２により受信した測定データをネットワーク５を介してデータ管理サーバ４０へ送信する情報処理装置側送信部３４とを備えている。データ管理サーバ４０は、情報処理装置側送信部３４により送信された測定データを受信するデータ管理サーバ側受信部４２と、データ管理サーバ側受信部４２により受信した測定データを所定の条件に基づきデータ管理サーバ側記録ＤＢ４５に保存するデータ管理サーバ側保存部４３とを備えている。所定の条件は、所定期間内の測定データは全て保存し、当該所定期間を超える測定データは所定の値に置き換えて保存する条件である。例えば、１年間（所定期間）内の測定データは全て保存し、１年間を超える測定データは３ヶ月間の代表値（所定の値）に置き換えて保存する条件とすることができる。この場合、１年間分の保存するデータ量（保存領域）は４／３６５＝約１／１００となる。代表値としては３ヶ月分の全測定データの平均値を用いることが好適である。しかし、３ヶ月分に限定されるわけではなく、任意の期間の測定データの平均値を代表値としてもよい。所定期間を超える測定データを所定の値に置き換える方法は複数あってもよい。
【００２６】
以上のように、情報処理装置３０およびデータ管理サーバ４０の両方で測定データを保存するため、ユーザ側にのみ負荷をかけることがなくサーバ側にのみ依存するということがない。保存期間を超えた測定データは所定の期間における代表値に置き換えて保存されるため、保存するデータ量（保存領域）は格段に少ない容量で済み、代表値の変化により保存期間を超えた測定データに関する長期的な変化を知ることができる。別のサーバを用意することなく既存の装置だけで済むため、保存のためのコストが別途極めてかかるということなく、非常に安価に長期間の測定データの変化の傾向を保存することができる。
【実施例２】
【００２７】
図３は、本発明の実施例２におけるデータ管理システム２を示す。図３で図１と同じ符号を付した箇所は同じ要素を示すため説明は省略する。図３に示されるデータ管理システム２が図１に示されるデータ管理システム１と異なる点は、情報処理装置３０がなく、データ送受信装置２０がデータ管理システム側記録ＤＢ４５と同様のＤＢ２７を有する点である。これに伴い、データ管理サーバ側受信部４２がデータ送受信装置２０側から送信された測定データを受信するようになったため、データ管理サーバ側受信部４２’と表している。
【００２８】
図３の機能ブロック図２１内に示されるように、データ送受信装置２０は、データ送受信装置側受信部２２により受信した測定データを上述した所定の条件に基づきデータ送受信装置側記録ＤＢ（データ送受信装置側記録部）２７に保存するデータ送受信装置測保存部（データ送受信装置測保存手段）２４と、データ送受信装置測受信部２２により受信した測定データをネットワーク５を介してデータ管理サーバ４０へ送信するデータ送受信装置側網送信部（データ送受信装置側網送信手段）２５とをさらに備えることができる。上述のデータ送受信装置側記録ＤＢ２７はデータ送受信装置２０のＲＡＩＤ（Redundant Arrays of Inexpensive Disks）等の記録装置２６に記録されている。データ送受信装置２０は、例えばイーサネット（登録商標）カードまたはアダプタ等のイーサネット（登録商標）接続手段により接続したイーサネット（登録商標）を経由しネットワーク５に接続してデータ管理サーバ４０と接続することができる。あるいは、ＬＡＮ端子により家庭内のルータ（不図示）に接続してネットワーク５を介しデータ管理サーバ４０と接続することができる。または、内蔵された携帯電話器により基地局、携帯電話網、携帯電話事業者側サーバ等（いずれも不図示）を経由しネットワーク５を介してデータ管理サーバ４０と接続することができる。データ送受信装置側網送信部２５は、データ管理サーバ４０側に過負荷とならないよう２４時間内のランダムな時点にデータ管理サーバ４０へ測定データを送信することが好適である。データ送受信装置２０のＯＳとしては一般的なＰＣ用のＯＳよりも安定的な動作のＬｉｎｕｘ（登録商標）またはＴＲＯＮベースのＯＳが好適である。
【００２９】
以上より、本発明の実施例２によれば、データ送受信装置２０側にデータ送受信装置側記録ＤＢ２７を設け、上述した所定の条件に基づき測定データを保存することができる。この結果、情報処理装置３０が使えないような高齢者でも血圧等を測定し当該測定データの保存およびデータ管理サーバ４０への送信が可能となる。当該測定データはデータ管理サーバ４０側のみではなくユーザ側にも保存されるので、情報処理装置３０がない場合でも測定データの保存に関しユーザ側にのみ依存するということ、またはデータ管理サーバ４０側にのみ依存するということがなくなり、全体として負荷分散を図ることができる。このデータ送受信装置２０を親（高齢者）の家または親が居住する施設等に置いておくことにより、子供はネットワーク５を介して親の測定データを参照することができるため、子供は親の健康状態を容易に見守ることができる。
【産業上の利用可能性】
【００３０】
本発明の活用例として、種々のユーザを対象とする健康管理システムへの適用が挙げられる。
【図面の簡単な説明】
【００３１】
【図１】本発明の実施例１におけるデータ管理システム１を示す図である。
【図２】代表値（所定の値）への置き換えについて説明するための図である。
【図３】本発明の実施例２におけるデータ管理システム２を示す図である。
【符号の説明】
【００３２】
１、２  データ管理システム、  ５  ネットワーク、  １０  データ測定器、  ２０  データ送受信装置、  ２１、３１、４１  機能ブロック図、  ２２  データ送受信装置側受信部、  ２３  データ送受信装置側送信部、  ２４  データ送受信装置側保存部、  ２５  データ送受信装置側網送信部、  ２７  データ送受信装置側記録ＤＢ、  ３０  情報処理装置、  ３２  情報処理装置側受信部、  ３３  情報処理装置側保存部、  ３４  情報処理装置側送信部、  ２６、３５、４４  記録装置、  ３６  情報処理装置側記録ＤＢ、  ４０  データ管理サーバ、  ４２、４２’  データ管理サーバ側受信部、  ４３  データ管理サーバ側保存部、  ４５  データ管理サーバ側記録ＤＢ。  
【図１】
2008250703.tif 000003
【図２】
2008250703.tif 000004
【図３】
2008250703.tif 000005
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
データ送受信装置、該データ送受信装置と通信可能な情報処理装置及び該情報処理装置とネットワークを介して接続されたデータ管理サーバとを備えたデータ管理システムであって、
前記データ送受信装置は、
データ測定器から送られた測定データを受信するデータ送受信装置側受信手段と、
前記データ送受信装置側受信手段により受信した測定データを前記情報処理装置へ送信するデータ送受信装置側送信手段とを備え、
前記情報処理装置は、
前記データ送受信装置側送信手段により送信された測定データを受信する情報処理装置側受信手段と、
前記情報処理装置側受信手段により受信した測定データを所定の条件に基づき情報処理装置側記録部に保存する情報処理装置側保存手段と、
前記情報処理装置側受信手段により受信した測定データを前記データ管理サーバへ送信する情報処理装置側送信手段とを備え、
前記データ管理サーバは、
前記情報処理装置側送信手段により送信された測定データを受信するデータ管理サーバ側受信手段と、
前記データ管理サーバ側受信手段により受信した測定データを所定の条件に基づきデータ管理サーバ側記録部に保存するデータ管理サーバ側保存手段とを備え、
前記所定の条件は、所定期間内の測定データは全て保存し、該所定期間を超える測定データは所定の値に置き換えて保存する条件であることを特徴とするデータ管理システム。
【請求項２】
データ送受信装置、該データ送受信装置とネットワークを介して接続されたデータ管理サーバとを備えたデータ管理システムであって、
前記データ送受信装置は、
データ測定器から送られた測定データを受信するデータ送受信装置側受信手段と、
前記データ送受信装置側受信手段により受信した測定データを所定の条件に基づきデータ送受信装置側記録部に保存するデータ送受信装置側保存手段と、
前記データ送受信装置側受信手段により受信した測定データをネットワークを介して前記データ管理サーバへ送信するデータ送受信装置側網送信手段とを備え、
前記データ管理サーバは、
前記データ送受信装置側網送信手段により送信された測定データを受信するデータ管理サーバ側受信手段と、
前記データ管理サーバ側受信手段により受信した測定データを所定の条件に基づきデータ管理サーバ側記録部に保存するデータ管理サーバ側保存手段とを備え、
前記所定の条件は、所定期間内の測定データは全て保存し、該所定期間を超える測定データは所定の値に置き換えて保存する条件であることを特徴とするデータ管理システム。
【請求項３】
請求項１又は２記載のデータ管理システムにおいて、前記所定の値は前記所定期間を超える測定データを代表する統計上の値であることを特徴とするデータ管理システム。
【請求項４】
請求項１乃至３のいずれかに記載のデータ管理システムにおいて、前記データ測定器は測定対象の生体に関連するデータの測定器であることを特徴とするデータ管理システム。
【請求項５】
ネットワークを介してデータ管理サーバと接続され、データ送受信装置と通信可能な情報処理装置であって、
前記データ送受信装置側から送信された測定データを受信する情報処理装置側受信手段と、
前記情報処理装置側受信手段により受信した測定データを所定の条件に基づき情報処理装置側記録部に保存する情報処理装置側保存手段と、
前記情報処理装置側受信手段により受信した測定データを前記データ管理サーバへ送信する情報処理装置側送信手段とを備え、
前記所定の条件は、所定期間内の測定データは全て保存し、該所定期間を超える測定データは所定の値に置き換えて保存する条件であることを特徴とする情報処理装置。
【請求項６】
データ送受信装置と通信可能な情報処理装置にネットワークを介して接続されたデータ管理サーバであって、
前記データ送受信装置から前記データ管理サーバへ送信された測定データを受信するデータ管理サーバ側受信手段と、
前記データ管理サーバ側受信手段により受信した測定データを所定の条件に基づきデータ管理サーバ側記録部に保存するデータ管理サーバ側保存手段とを備え、
前記所定の条件は、所定期間内の測定データは全て保存し、該所定期間を超える測定データは所定の値に置き換えて保存する条件であることを特徴とするデータ管理サーバ。
【請求項７】
情報処理装置と通信可能で、ネットワークを介してデータ管理サーバと接続されたデータ送受信装置であって、
データ測定器から送られた測定データを受信するデータ送受信装置側受信手段と、
前記データ送受信装置側受信手段により受信した測定データを所定の条件に基づきデータ送受信装置側記録部に保存するデータ送受信装置側保存手段と、
前記データ送受信装置側受信手段により受信した測定データをネットワークを介して前記データ管理サーバへ送信するデータ送受信装置側網送信手段とを備え、
前記所定の条件は、所定期間内の測定データは全て保存し、該所定期間を超える測定データは所定の値に置き換えて保存する条件であることを特徴とするデータ送受信装置。
【手続補正２】
【補正対象書類名】明細書
【補正対象項目名】全文
【補正方法】変更
【補正の内容】
【発明の詳細な説明】
【技術分野】
【０００１】
本発明は、データ送受信装置、当該データ送受信装置と通信可能な情報処理装置および当該情報処理装置とネットワークを介して接続されたデータ管理サーバとを備えたデータ管理システム等に関する。
【背景技術】
【０００２】
近年、体重計、体脂肪計等により測定されたユーザの測定データをインターネットを介して遠隔のサーバに収集し、健康管理に役立てる健康管理システムの開発が進められている。このような健康管理システムでは、ユーザはサーバに記録された過去の測定データを閲覧可能になっている（非特許文献１参照）。しかし、過去の全測定データをサーバ側に永久に保存することは、容量、コスト等の点から極めてサーバ側に負荷がかかるため、通常、測定データの保存期間は限られている（非特許文献２参照）。
【０００３】
一般に、上述した過去の測定データの保存方法には、ユーザ側のパーソナルコンピュータ（ＰＣ）にのみ保存する場合と、サーバ側にのみ保存する場合と、保存用の２台目のサーバを遠隔地に設置して当該サーバにも保存する場合とがある。ユーザ側のＰＣにのみ保存する場合、当該ユーザの測定データを全保存（永久保存）することは可能であるが、ユーザ側に極めて負荷がかかるため、ユーザにとっての利便性はかなり低いものとなる。一方、サーバ側にのみ保存する場合、ユーザにとっての利便性はかなり高いものとなるが、サーバ側には極めて負荷がかかることになる。加えて、廃止コストはかなり要することとなる。通常は、全てのユーザの測定データを全保存することは非現実的であるため保存期間は限定されることになる。保存用の２台目のサーバを遠隔地に設置して当該サーバにも保存する場合は上述したサーバ側にのみ保存する場合とほぼ同様であるが、そのための初期投資、維持費等は最も要するものとなる。近年では、単にデータの全保存の目的だけではなく、災害時のバックアップ用にシステムを二重化したりする場合が珍しくないが（非特許文献３参照）、サーバ側にのみ依存することは、責任問題等も含め、リスク管理上の種々の問題点が指摘されている（非特許文献４参照）。
【０００４】
【非特許文献１】“健康管理ソフト”、［online］、港洋電器株式会社、［平成１９年２月８日検索］、インターネット、<URL:http://koyolease.co.jp/SCS/SCS-AD10.htm>
【非特許文献２】“からだのみはり番ネット”、［online］、株式会社東芝、［平成１９年２月８日検索］、インターネット、<URL:http://t-hcs.jp/aag/t-hcs/sitemap.htm>
【非特許文献３】“災害に備え“もう１つの本社””、［online］、アイティメディア株式会社、［平成１９年２月８日検索］、インターネット、<URL: http://www.itmedia.co.jp/news/articles/0604/17/news049.html>
【非特許文献４】「情報リスクに関するリスクマネジメント研究報告書」、財団法人日本情報処理開発協会、平成１３年３月。
【発明の開示】
【発明が解決しようとする課題】
【０００５】
上述のように、過去の測定データをユーザ側のＰＣにのみ保存する場合、ユーザ側に極めて負荷がかかるため、ユーザにとっての利便性がかなり低くなるという問題があった。過去の測定データをサーバ側にのみ保存する場合、通常、保存期間を超えた測定データは消去されるため、ユーザは当該測定データを参照することができなくなり、当該測定データに関する長期的な変化を全く知ることができなくなるという問題があった。保存用の２台目のサーバを遠隔地に設置して当該サーバにも保存する場合、初期投資、維持費等が極めて要することになる上、サーバ側にのみ依存することは、種々のリスク管理上の問題点があった。
【０００６】
そこで、本発明の目的は、上記問題を解決するためになされたものであり、ユーザ側にのみ負荷をかけることなく、保存期間を超えた測定データに関する長期的な変化を全く知ることができなくなることもなく、コストが極めてかかることもなく且つサーバ側にのみ依存することもないデータ管理システム等を提供することにある。
【課題を解決するための手段】
【０００７】
この発明のデータ管理システムは、データ送受信装置、該データ送受信装置と通信可能な情報処理装置及び該情報処理装置とネットワークを介して接続されたデータ管理サーバとを備えたデータ管理システムであって、前記データ送受信装置は、データ測定器から送られた測定データを受信するデータ送受信装置側受信手段と、前記データ送受信装置側受信手段により受信した測定データを前記情報処理装置へ送信するデータ送受信装置側送信手段とを備え、前記情報処理装置は、前記データ送受信装置側送信手段により送信された測定データを受信する情報処理装置側受信手段と、前記情報処理装置側受信手段により受信した測定データを所定の条件に基づき情報処理装置側記録部に保存する情報処理装置側保存手段と、前記情報処理装置側受信手段により受信した測定データを前記データ管理サーバへ送信する情報処理装置側送信手段とを備え、前記データ管理サーバは、前記情報処理装置側送信手段により送信された測定データを受信するデータ管理サーバ側受信手段と、  前記データ管理サーバ側受信手段により受信した測定データを所定の条件に基づきデータ管理サーバ側記録部に保存するデータ管理サーバ側保存手段とを備え、前記所定の条件は、所定期間内の測定データは全て保存し、該所定期間を超える測定データは所定の値に置き換えて保存する条件であることを特徴とする。
【０００８】
この発明のデータ管理システムは、データ送受信装置、該データ送受信装置とネットワークを介して接続されたデータ管理サーバとを備えたデータ管理システムであって、前記データ送受信装置は、データ測定器から送られた測定データを受信するデータ送受信装置側受信手段と、前記データ送受信装置側受信手段により受信した測定データを所定の条件に基づきデータ送受信装置側記録部に保存するデータ送受信装置側保存手段と、前記データ送受信装置側受信手段により受信した測定データをネットワークを介して前記データ管理サーバへ送信するデータ送受信装置側網送信手段とを備え、前記データ管理サーバは、前記データ送受信装置側網送信手段により送信された測定データを受信するデータ管理サーバ側受信手段と、前記データ管理サーバ側受信手段により受信した測定データを所定の条件に基づきデータ管理サーバ側記録部に保存するデータ管理サーバ側保存手段とを備え、前記所定の条件は、所定期間内の測定データは全て保存し、該所定期間を超える測定データは所定の値に置き換えて保存する条件であることを特徴とする。
【０００９】
ここで、この発明のデータ管理システムにおいて、前記所定の値は前記所定期間を超える測定データを代表する統計上の値とすることができる。
【００１０】
ここで、この発明のデータ管理システムにおいて、前記データ測定器は測定対象の生体に関連するデータの測定器とすることができる。
【００１１】
この発明の情報処理装置は、ネットワークを介してデータ管理サーバと接続され、データ送受信装置と通信可能な情報処理装置であって、前記データ送受信装置側から送信された測定データを受信する情報処理装置側受信手段と、前記情報処理装置側受信手段により受信した測定データを所定の条件に基づき情報処理装置側記録部に保存する情報処理装置側保存手段と、前記情報処理装置側受信手段により受信した測定データを前記データ管理サーバへ送信する情報処理装置側送信手段とを備え、前記所定の条件は、所定期間内の測定データは全て保存し、該所定期間を超える測定データは所定の値に置き換えて保存する条件であることを特徴とする。
【００１２】
この発明のデータ管理サーバは、データ送受信装置と通信可能な情報処理装置にネットワークを介して接続されたデータ管理サーバであって、前記データ送受信装置から前記データ管理サーバへ送信された測定データを受信するデータ管理サーバ側受信手段と、前記データ管理サーバ側受信手段により受信した測定データを所定の条件に基づきデータ管理サーバ側記録部に保存するデータ管理サーバ側保存手段とを備え、前記所定の条件は、所定期間内の測定データは全て保存し、該所定期間を超える測定データは所定の値に置き換えて保存する条件であることを特徴とする。
【００１３】
この発明のデータ送受信装置は、情報処理装置と通信可能で、ネットワークを介してデータ管理サーバと接続されたデータ送受信装置であって、データ測定器から送られた測定データを受信するデータ送受信装置側受信手段と、前記データ送受信装置側受信手段により受信した測定データを所定の条件に基づきデータ送受信装置側記録部に保存するデータ送受信装置側保存手段と、前記データ送受信装置側受信手段により受信した測定データをネットワークを介して前記データ管理サーバへ送信するデータ送受信装置側網送信手段とを備え、前記所定の条件は、所定期間内の測定データは全て保存し、該所定期間を超える測定データは所定の値に置き換えて保存する条件であることを特徴とする。
【発明の効果】
【００１４】
本発明のデータ管理システム等によれば、データ送受信装置は、データ測定器から送られた測定データを受信するデータ送受信装置側受信部と、データ送受信装置側受信部により受信した測定データを情報処理装置へ送信するデータ送受信装置側送信部とを備えている。情報処理装置は、データ送受信装置側送信部により送信された測定データを受信する情報処理装置側受信部と、情報処理装置側受信部により受信した測定データを所定の条件に基づき情報処理装置側記録ＤＢに保存する情報処理装置側保存部と、情報処理装置側受信部により受信した測定データをネットワークを介してデータ管理サーバへ送信する情報処理装置側送信部とを備えている。データ管理サーバは、情報処理装置側送信部により送信された測定データを受信するデータ管理サーバ側受信部と、データ管理サーバ側受信部により受信した測定データを所定の条件に基づきデータ管理サーバ側記録ＤＢに保存するデータ管理サーバ側保存部とを備えている。所定の条件は、所定期間内の測定データは全て保存し、当該所定期間を超える測定データは所定の値に置き換えて保存する条件である。情報処理装置およびデータ管理サーバの両方で測定データを保存するため、ユーザ側にのみ負荷をかけることがなくサーバ側にのみ依存するということがない。保存期間を超えた測定データは所定の期間における代表値に置き換えて保存されるため、保存するデータ量（保存領域）は格段に少ない容量で済み、代表値の変化により保存期間を超えた測定データに関する長期的な変化を知ることができる。別のサーバを用意することなく既存の装置だけで済むため、保存のためのコストが別途極めてかかるということなく、非常に安価に長期間の測定データの変化の傾向を保存することができるという効果がある。
【発明を実施するための最良の形態】
【００１５】
以下、各実施例について図面を参照して詳細に説明する。
【実施例１】
【００１６】
図１は、本発明の実施例１におけるデータ管理システム１を示す。図１において、符号１０は測定対象（不図示）の生体に関連するデータを測定するデータ測定器、２０はデータ測定器１０から送られた測定データを受信するデータ送受信装置、３０はデータ送受信装置２０と通信可能な情報処理装置、４０は情報処理装置３０とインターネット等のネットワーク５を介して接続されたデータ管理サーバである。
【００１７】
データ測定器１０としては、例えば体重計・体脂肪計等の体組成計、血圧計、歩数計、尿糖計または体温計等であることが好適である。データ測定器１０はデータ送受信装置２０へ測定データを送信することができる。測定データは、体重（ｋｇ）、体脂肪（％）、血圧（最高、最低をｍｍＨｇ）、歩数（歩／分）等のデータであり、所望のデータ表現、データサイズにより表されているものとする。送信方法には特定小電力無線を用いることが好適である。特定小電力無線とは、免許を必要としない無線であり、アンテナ電力が１０ｍＷ以下の近距離用の無線である。通信可能な距離は約５０ｍ程度であるが、見通しが立たないような状況でも通信可能である。他の送信方法として、赤外線送信を用いることもできる。赤外線送信のフォーマットとしては、一般的な家電製品協会フォーマット等またはオリジナルなフォーマット等を用いればよい。あるいは有線接続により送信を行うこともできる。
【００１８】
図１において、符号２１はデータ送受信装置２０が有する機能を示す機能ブロック図である。機能ブロック図２１内に示されるように、データ送受信装置２０は、データ測定器１０から上述のように送られた測定データを受信するデータ送受信装置側受信部（データ送受信装置側受信手段）２２と、データ送受信装置側受信部２２により受信した測定データを情報処理装置３０へ送信するデータ送受信装置側送信部（データ送受信装置側送信手段）２３とを備えている。
【００１９】
図１において、符号３１は情報処理装置３０が有する機能を示す機能ブロック図である。機能ブロック図３１内に示されるように、情報処理装置３０は、データ送受信装置側送信部２３により送信された測定データを受信する情報処理装置側受信部（情報処理装置側受信手段）３２と、情報処理装置側受信部３２により受信した測定データを所定の条件に基づき情報処理装置側記録データベース（ＤＢ。情報処理装置側記録部）３６に保存する情報処理装置側保存部（情報処理装置側保存手段）３３と、情報処理装置側受信部３２により受信した測定データをネットワーク５を介してデータ管理サーバ４０へ送信する情報処理装置側送信部（情報処理装置側送信手段）３４とを備えている。上述の情報処理装置側記録ＤＢ３６は情報処理装置３０のディスク等の記録装置３５に記録されている。情報処理装置３０はルータ（不図示）等を経由しネットワーク５を介してデータ管理サーバ４０側と接続されている。
【００２０】
図１において、符号４１はデータ管理サーバ４０が有する機能を示す機能ブロック図である。機能ブロック図４１内に示されるように、データ管理サーバ４０は、情報処理装置側送信部３４により送信された測定データを受信するデータ管理サーバ側受信部（データ管理サーバ側受信手段）４２と、データ管理サーバ側受信部４２により受信した測定データを所定の条件に基づきデータ管理サーバ側記録ＤＢ（データ管理サーバ側記録部）４５に保存するデータ管理サーバ側保存部（データ管理サーバ側保存手段）４３とを備えている。上述のデータ管理サーバ側記録ＤＢ４５はデータ管理サーバ４０のディスク等の記録装置４４に記録されている。データ管理サーバ４０はルータ（不図示）等を経由しネットワーク５を介して情報処理装置３０側と接続されている。
【００２１】
次に、上記所定の条件について説明する。所定の条件は、所定期間内の測定データは全て保存し、当該所定期間を超える測定データは所定の値に置き換えて保存する条件である。例えば、１年間（所定期間）内の測定データは全て保存し、１年間を超える測定データは３ヶ月間の測定データを代表する統計上の値である代表値（所定の値）に置き換えて保存する条件とすることができる。図２は、代表値（所定の値）への置き換えについて説明するための図である。図２の左側は、１月分全測定データＭ１から１２月分全測定データＭ１２までを保存した場合を示す。この場合、３６５日分の測定データが保存されていることになる。一方、図２の右側は、１月〜３月分全測定データ、すなわち３ヶ月分の全測定データを１つの代表値（所定の値）Ｒ１に置き換えて保存し、以下同様に、４月〜６月分全測定データ、すなわち３ヶ月分の全測定データを１つの代表値Ｒ２に置き換えて保存し、７月〜９月分全測定データ、すなわち３ヶ月分の全測定データを１つの代表値Ｒ３に置き換えて保存し、１０月〜１２月分全測定データ、すなわち、３ヶ月分の全測定データを１つの代表値Ｒ４に置き換えて保存した場合を示す。この場合、日数的には４日分の測定データのみが保存されていることになるため、１年間分の保存するデータ量（保存領域）は４／３６５＝約１／１００となる。代表値としては３ヶ月分の全測定データの平均値を用いることが好適である。さらに分散値を付加してもよい。生体に関連するデータの種類により代表値を変えることもできる。例えば、生体に関連するデータが血圧の場合、最高血圧の平均値と、最低血圧の平均値と、最高血圧と最低血圧との中心値の平均値との３つの平均値を代表値としてもよい。
【００２２】
図２では、説明をわかりやすくするため、１年間を超える測定データが現時点から１年分ある場合を想定した。実際は、情報処理装置側保存部３３またはデータ管理サーバ側保存部４３が、各々情報処理装置側記録ＤＢ３６またはデータ管理サーバ側記録ＤＢ４５に現時点から１年以上前の測定データが３ヶ月分あるか否かを判断し、３ヶ月分あった場合は当該３ヶ月分の測定データからそれらの平均値を求め、各々情報処理装置側記録ＤＢ３６上またはデータ管理サーバ側記録ＤＢ４５上に保存されていた当該３か月分の測定データを求めた平均値Ｒ１等で置き換える。
【００２３】
上述の説明では、３ヶ月分の測定データの平均値を代表値としたが、３ヶ月分に限定されるわけではなく、任意の期間の測定データの平均値を代表値としてもよい。例えば１ヶ月分の測定データの平均値を代表値とした場合、１年間分の保存するデータ量（保存領域）は１２／３６５＝約１／３０となる。
【００２４】
上述の説明では、所定期間を超える測定データを所定の値に置き換える方法は単一のものと想定したが、当該方法は複数あってもよい。例えば、現時点から１年１ヶ月未満（所定期間）の測定データは全て保存し、１年１ヶ月以上２年未満の測定データは１ヶ月分の測定データの平均値を代表値として保存し、２年以上前の測定データは３ヶ月分の測定データの平均値を代表値として保存するという複数の置き換え方法を用いることもできる。
【００２５】
以上より、本発明の実施例１によれば、データ送受信装置２０は、データ測定器１０から送られた測定データを受信するデータ送受信装置側受信部２２と、データ送受信装置側受信部２２により受信した測定データを情報処理装置３０へ送信するデータ送受信装置側送信部２３とを備えている。情報処理装置３０は、データ送受信装置側送信部２３により送信された測定データを受信する情報処理装置側受信部３２と、情報処理装置側受信部３２により受信した測定データを所定の条件に基づき情報処理装置側記録ＤＢ３６に保存する情報処理装置側保存部３３と、情報処理装置側受信部３２により受信した測定データをネットワーク５を介してデータ管理サーバ４０へ送信する情報処理装置側送信部３４とを備えている。データ管理サーバ４０は、情報処理装置側送信部３４により送信された測定データを受信するデータ管理サーバ側受信部４２と、データ管理サーバ側受信部４２により受信した測定データを所定の条件に基づきデータ管理サーバ側記録ＤＢ４５に保存するデータ管理サーバ側保存部４３とを備えている。所定の条件は、所定期間内の測定データは全て保存し、当該所定期間を超える測定データは所定の値に置き換えて保存する条件である。例えば、１年間（所定期間）内の測定データは全て保存し、１年間を超える測定データは３ヶ月間の代表値（所定の値）に置き換えて保存する条件とすることができる。この場合、１年間分の保存するデータ量（保存領域）は４／３６５＝約１／１００となる。代表値としては３ヶ月分の全測定データの平均値を用いることが好適である。しかし、３ヶ月分に限定されるわけではなく、任意の期間の測定データの平均値を代表値としてもよい。所定期間を超える測定データを所定の値に置き換える方法は複数あってもよい。
【００２６】
以上のように、情報処理装置３０およびデータ管理サーバ４０の両方で測定データを保存するため、ユーザ側にのみ負荷をかけることがなくサーバ側にのみ依存するということがない。保存期間を超えた測定データは所定の期間における代表値に置き換えて保存されるため、保存するデータ量（保存領域）は格段に少ない容量で済み、代表値の変化により保存期間を超えた測定データに関する長期的な変化を知ることができる。別のサーバを用意することなく既存の装置だけで済むため、保存のためのコストが別途極めてかかるということなく、非常に安価に長期間の測定データの変化の傾向を保存することができる。
【実施例２】
【００２７】
図３は、本発明の実施例２におけるデータ管理システム２を示す。図３で図１と同じ符号を付した箇所は同じ要素を示すため説明は省略する。図３に示されるデータ管理システム２が図１に示されるデータ管理システム１と異なる点は、情報処理装置３０がなく、データ送受信装置２０がデータ管理システム側記録ＤＢ４５と同様のＤＢ２７を有する点である。これに伴い、データ管理サーバ側受信部４２がデータ送受信装置２０側から送信された測定データを受信するようになったため、データ管理サーバ側受信部４２’と表している。
【００２８】
図３の機能ブロック図２１内に示されるように、データ送受信装置２０は、データ送受信装置側受信部２２により受信した測定データを上述した所定の条件に基づきデータ送受信装置側記録ＤＢ（データ送受信装置側記録部）２７に保存するデータ送受信装置側保存部（データ送受信装置側保存手段）２４と、データ送受信装置側受信部２２により受信した測定データをネットワーク５を介してデータ管理サーバ４０へ送信するデータ送受信装置側網送信部（データ送受信装置側網送信手段）２５とをさらに備えることができる。上述のデータ送受信装置側記録ＤＢ２７はデータ送受信装置２０のＲＡＩＤ（Redundant Arrays of Inexpensive Disks）等の記録装置２６に記録されている。データ送受信装置２０は、例えばイーサネット（登録商標）カードまたはアダプタ等のイーサネット（登録商標）接続手段により接続したイーサネット（登録商標）を経由しネットワーク５に接続してデータ管理サーバ４０と接続することができる。あるいは、ＬＡＮ端子により家庭内のルータ（不図示）に接続してネットワーク５を介しデータ管理サーバ４０と接続することができる。または、内蔵された携帯電話器により基地局、携帯電話網、携帯電話事業者側サーバ等（いずれも不図示）を経由しネットワーク５を介してデータ管理サーバ４０と接続することができる。データ送受信装置側網送信部２５は、データ管理サーバ４０側に過負荷とならないよう２４時間内のランダムな時点にデータ管理サーバ４０へ測定データを送信することが好適である。データ送受信装置２０のＯＳとしては一般的なＰＣ用のＯＳよりも安定的な動作のＬｉｎｕｘ（登録商標）またはＴＲＯＮベースのＯＳが好適である。
【００２９】
以上より、本発明の実施例２によれば、データ送受信装置２０側にデータ送受信装置側記録ＤＢ２７を設け、上述した所定の条件に基づき測定データを保存することができる。この結果、情報処理装置３０が使えないような高齢者でも血圧等を測定し当該測定データの保存およびデータ管理サーバ４０への送信が可能となる。当該測定データはデータ管理サーバ４０側のみではなくユーザ側にも保存されるので、情報処理装置３０がない場合でも測定データの保存に関しユーザ側にのみ依存するということ、またはデータ管理サーバ４０側にのみ依存するということがなくなり、全体として負荷分散を図ることができる。このデータ送受信装置２０を親（高齢者）の家または親が居住する施設等に置いておくことにより、子供はネットワーク５を介して親の測定データを参照することができるため、子供は親の健康状態を容易に見守ることができる。
【産業上の利用可能性】
【００３０】
本発明の活用例として、種々のユーザを対象とする健康管理システムへの適用が挙げられる。
【図面の簡単な説明】
【００３１】
【図１】本発明の実施例１におけるデータ管理システム１を示す図である。
【図２】代表値（所定の値）への置き換えについて説明するための図である。
【図３】本発明の実施例２におけるデータ管理システム２を示す図である。
【符号の説明】
【００３２】
１、２  データ管理システム、  ５  ネットワーク、  １０  データ測定器、  ２０  データ送受信装置、  ２１、３１、４１  機能ブロック図、  ２２  データ送受信装置側受信部、  ２３  データ送受信装置側送信部、  ２４  データ送受信装置側保存部、  ２５  データ送受信装置側網送信部、  ２７  データ送受信装置側記録ＤＢ、  ３０  情報処理装置、  ３２  情報処理装置側受信部、  ３３  情報処理装置側保存部、  ３４  情報処理装置側送信部、  ２６、３５、４４  記録装置、  ３６  情報処理装置側記録ＤＢ、  ４０  データ管理サーバ、  ４２、４２’  データ管理サーバ側受信部、  ４３  データ管理サーバ側保存部、  ４５  データ管理サーバ側記録ＤＢ。